(57)【要約】      （修正有）【課題】タッチパネルの輝度を適切に変更する表示装置を提供する。【解決手段】表示装置１は、操作指示体がタッチパネル１４に接触しているか否か、または、操作指示体がタッチパネル１４から所定の距離以内にあるか否かの判定結果、及び、所定時間内における操作指示体の動きの有無の判定結果を参照して、タッチパネル１４の輝度を変更するか否かを判定する。【選択図】図１
2016038738.tif 000002
【特許請求の範囲】
【請求項１】
操作指示体の接触による入力を受け付けるタッチパネルと、
照度センサと、
上記操作指示体が上記タッチパネルに接触しているか否か、または、上記操作指示体が上記タッチパネルから所定の距離以内にあるか否かを判定する第一判定手段と、
所定時間内における上記操作指示体の動きの有無を判定する第二判定手段と、
上記第一判定手段および上記第二判定手段の判定結果を参照して、上記タッチパネルの輝度を変更するか否かを判定し、当該輝度を変更すると判定したときは、上記照度センサの検出した照度に応じて、当該輝度を変更する輝度変更手段と、を備えていることを特徴とする表示装置。
【請求項２】
第二判定手段は、上記所定時間内における上記操作指示体の動きの有無を判定すると共に、上記と同一の所定時間内における上記照度センサの検出した照度の変化の有無を判定することを特徴とする請求項１に記載の表示装置。
【請求項３】
上記表示装置において上記照度センサの配置位置を含むセンサ側領域が規定されており、
上記操作指示体が上記センサ側領域内にあるか否かを判定する第三判定手段を備え、
上記輝度変更手段は、上記第三判定手段の判定結果をさらに参照して、上記輝度を変更するか否かを判定することを特徴とする請求項２に記載の表示装置。
【請求項４】
上記輝度変更手段は、
（ｉ）上記第一判定手段が、上記操作指示体が上記タッチパネルに接触していない、または、上記タッチパネルから上記所定の距離よりも離れていると判定した場合、
（ｉｉ）上記第一判定手段が、上記操作指示体が上記タッチパネルに接触している、または、上記タッチパネルから上記所定の距離以内にあると判定し、上記第二判定手段が、上記操作指示体の動きが無く、上記照度の変化があると判定した場合、および
（ｉｉｉ）上記第一判定手段が、上記操作指示体が上記タッチパネルに接触している、または、上記タッチパネルから上記所定の距離以内にあると判定し、上記第二判定手段が、上記照度の変化が無いと判定し、上記第三判定手段が上記センサ側領域内に無いと判定した場合に、
上記輝度を変更すると判定することを特徴とする請求項３に記載の表示装置。
【請求項５】
近接センサをさらに備え、
上記第一判定手段は、上記タッチパネルおよび上記近接センサの少なくとも一方の検出結果を参照して、上記操作指示体が上記タッチパネルに接触しているか否か、または、上記操作指示体が上記タッチパネルから所定の距離以内にあるか否かを判定し、
上記第二判定手段は、上記タッチパネルおよび上記近接センサの少なくとも一方の検出結果ならびに上記照度センサの検出結果を参照して、上記所定時間内における上記操作指示体の動きの有無を判定すると共に、当該所定時間内における上記照度センサの検出した照度の変化の有無を判定し、
上記第三判定手段は、上記タッチパネルおよび上記近接センサの少なくとも一方の検出結果を参照して、上記操作指示体が上記センサ側領域内にあるか否かを判定することを特徴とする請求項３または４に記載の表示装置。
【発明の詳細な説明】
【技術分野】
【０００１】
本発明は、タッチパネルを備えた表示装置に関する。
【背景技術】
【０００２】
近年、タッチパネルを備えた様々な電子機器が普及している。そのような電子機器において、タッチパネルに表示する表示画面の視認性を確保するため、当該電子機器の周囲の明るさに応じて、タッチパネルの輝度を変化させる技術が開発されている。
【０００３】
但し、光センサによって電子機器の周囲の明るさを検出する場合、当該電子機器の周囲の明るさが変化していない場合であっても、ユーザがタッチパネルに対する操作を行うことにより、当該光センサが測定する明るさが変化し、タッチパネルの輝度を不適切に変更してしまう事態が生じ得る。
【０００４】
このような事態を回避するため、特許文献１に記載の携帯端末は、周囲の明るさに応じてタッチパネルの輝度を調整する機能を有する携帯端末であって、前記タッチパネルの近傍に配置され、周囲の明るさを測定する光センサと、前記光センサにより測定された明るさが、第１状態から、前記タッチパネルの輝度を変化させるよう制御をするための閾値を超えて低下した第２状態に変化した場合において、当該変化から第１時間経過後までに、前記光センサにより測定された明るさが、前記第２状態から前記第１状態に変化したときには、前記タッチパネルの輝度を前記第１状態に対応する輝度のまま維持し、前記第２状態から前記第１状態に変化していないときには、前記タッチパネルの輝度を前記第２状態に対応する輝度に変化させるよう制御する輝度制御部とを備える。
【先行技術文献】
【特許文献】
【０００５】
【特許文献１】特開２０１２−１３７８５９号公報（２０１２年７月１９日公開）
【発明の概要】
【発明が解決しようとする課題】
【０００６】
しかしながら、特許文献１に記載の携帯電話機においては、ユーザがタッチパネルに対するタッチ操作を連続して行うなど、所定時間を越える操作を行っている場合には、タッチパネルの輝度を適切に変更することができないという問題がある。
【０００７】
本発明は、上記の課題に鑑みて行われたものであり、その目的は、タッチパネルの輝度を適切に変更することができる表示装置を提供することにある。
【課題を解決するための手段】
【０００８】
上記の課題を解決するために、本発明の一態様に係る表示装置は、操作指示体の接触による入力を受け付けるタッチパネルと、照度センサと、上記操作指示体が上記タッチパネルに接触しているか否か、または、上記操作指示体が上記タッチパネルから所定の距離以内にあるか否か、の少なくとも一方を判定する第一判定手段と、所定時間内における上記操作指示体の動きの有無を判定する第二判定手段と、上記第一判定手段および上記第二判定手段の判定結果を参照して、上記タッチパネルの輝度を変更するか否かを判定し、当該輝度を変更すると判定したときは、上記照度センサの検出した照度に応じて、当該輝度を変更する輝度変更手段と、を備えていることを特徴とする。
【発明の効果】
【０００９】
本発明の一態様によれば、タッチパネルの輝度を適切に変更することができる。
【図面の簡単な説明】
【００１０】
【図１】本発明の一実施形態に係る情報端末装置の構成を示すブロック図である。
【図２】図１に示す情報端末装置の外観図である。
【図３】図１に示す情報端末装置の備える状態判別部が判定する操作指示体の状態の例を示す概念図であり、（ａ）は、操作指示体がディスプレイに接触している状態の一例を示し、（ｂ）は、操作指示体がディスプレイに近接している状態の一例を示す。
【図４】図１に示す情報端末装置の備える動作検出部が検出する操作指示体の動きの例を示す概念図であり、（ａ）は、操作指示体がディスプレイに接触している際の動きの例を示し、（ｂ）は、操作指示体がディスプレイに近接している際の動きの一例を示し、（ｃ）は、操作指示体がディスプレイに近接している際の動きの他の一例を示す。
【図５】図１に示す情報端末装置の備える動作検出部が検出する操作指示体の動きと、照度変化検出部が検出する照度の変化とを参照することにより想定される操作指示体の位置を示す概念図であり、（ａ）は、操作指示体の動きがあり、かつ照度の変化がある場合を示し、（ｂ）は、操作指示体の動きが無く、かつ照度の変化がある場合を示し、（ｃ）及び（ｄ）は、操作指示体の動きが無く、かつ照度の変化がない場合を示し、（ｅ）及び（ｆ）は、操作指示体の動きがあり、かつ照度の変化がない場合を示す。
【図６】図１に示す情報端末装置の備える位置判別部により判別される操作指示体の位置の例を示す概念図であり、（ａ）は、操作指示体がセンサ側領域に含まれている場合を示し、（ｂ）は、操作指示体がセンサ側領域に含まれていない場合を示す。
【図７】図１に示す情報端末装置の処理手順の一例を示すフローチャートである。
【発明を実施するための形態】
【００１１】
以下、図面を参照して、本発明の一実施形態に係る表示装置について、詳細に説明する。なお、本実施形態においては、表示装置の一例として携帯型情報端末を用いる場合について説明する。
【００１２】
図１は、本実施形態に係る情報端末装置１の構成を示すブロック図である。図１に示すように、情報端末装置１は、照度センサ１１、近接センサ１３、タッチパネル１４、制御部１５、及び記憶部１６を備えている。
【００１３】
ここで、参照する図面を代えて、情報端末装置１の外観について説明する。図２は、情報端末装置１の外観図である。図２に示すように、照度センサ１１及び近接センサ１３は共に、情報端末装置１の下辺側におけるタッチパネル１４の周辺に設けられている。なお、照度センサ１１及び近接センサ１３は共に、情報端末装置１の上辺側に設けられていてもよいし、照度センサ１１及び近接センサ１３が互いに異なる位置に設けられていてもよい。
【００１４】
記憶部１６には、情報端末装置１のＯＳ（Operating System）プログラムや、各種アプリケーションプログラム、各種制御プログラム、各種データ等が格納されている。制御部１５は、記憶部１６に格納されている各種プログラム、及び各種データを参照することにより、照度変化検出部（第二判定手段）１５１、状態判別部（第一判定手段）１５２、輝度制御部（輝度変更手段）１５３、動作検出部（第二判定手段）１５４、位置判別部（第三判定手段）１５５として機能する。タッチパネル１４は、情報端末装置１によるプログラムの実行結果に応じた表示内容を有する映像を表示する。
【００１５】
照度センサ１１は、情報端末装置１の周囲の照度を検出するための構成であり、例えば、フォトダイオードにより構成される。照度センサ１１は、受光した光の量に応じた信号を出力し、照度変化検出部１５１に供給する。照度変化検出部１５１は、照度センサ１１から供給された信号が示す照度の値を示す照度情報を生成する。照度変化検出部１５１は、生成した照度情報を記憶部１６に格納する。また、照度変化検出部１５１は、記憶部１６を参照して、照度情報が変化したか否かを判定し、判定結果を示す信号を輝度制御部１５３に供給する。
【００１６】
輝度制御部１５３は、照度変化検出部１５１から供給された判定結果を示す信号をトリガとして、タッチパネル１４の輝度を変更するか否かを判定し、タッチパネル１４の輝度を変更すると判定したときは、タッチパネル１４の輝度が、照度変化検出部１５１から供給された照度情報に応じた輝度に変更されるように、タッチパネル１４を制御する。
【００１７】
タッチパネル１４は、操作指示体（例えば、ユーザの指、またはスタイラスペンなど）によるタッチパネル１４に対する接触を伴う入力操作（以下では、「タッチ入力操作」とも記載）を受け付ける。タッチパネル１４は、操作指示体によるタッチパネル１４へのタッチを検出すると、タッチパネル１４上におけるタッチ位置を示すタッチ位置情報を生成する。ここで、タッチ位置は、例えば、タッチパネル１４上の位置を特定するためのｘ座標およびｙ座標によって示される。タッチパネル１４は、生成したタッチ位置情報を状態判別部１５２、動作検出部１５４、及び位置判別部１５５に供給するとともに、記憶部１６に格納する。
【００１８】
タッチパネル１４は、また、タッチパネル１４に近接している操作指示体の近接位置を示す近接位置情報を生成するようになっていてもよい。ここで、近接位置とは、操作指示体をタッチパネル１４の法線方向に沿ってタッチパネル１４に投影した位置を示し、タッチ位置と同様に、ｘ座標及びｙ座標によって示される。タッチパネル１４は、生成した近接位置情報を状態判別部１５２、動作検出部１５４、及び位置判別部１５５に供給するとともに、記憶部１６に格納する。このような近接位置を検出することができるタッチパネルとして、例えば、公知の静電容量式のタッチパネル等が挙げられる。
【００１９】
近接センサ１３は、タッチパネル１４から所定の距離以内に操作指示体などの物体が存在するか否かを検出する。例えば、近接センサ１３は、検出した操作指示体とタッチパネル１４との距離を算出し、算出した距離の値を示す近接距離情報を生成する。近接センサ１３は、生成した近接距離情報を状態判別部１５２に供給するとともに、記憶部１６に格納する。
【００２０】
状態判別部１５２は、タッチパネル１４に対する操作指示体の状態を判定するための手段である。より具体的には、状態判別部１５２は、操作指示体が、タッチパネル１４に対して接触している（接触状態にある）か否か、または、操作指示体がタッチパネル１４から所定の距離以内にある（近接状態にある）か否かを判定する。
【００２１】
ここで、参照する図面を代えて、状態判別部１５２が判定する操作指示体の状態について説明する。図３は、状態判別部１５２が判定する操作指示体の状態を示す概念図であり、（ａ）は、操作指示体がタッチパネル１４に接触している状態の一例を示し、（ｂ）は、操作指示体がタッチパネル１４から所定の距離ｄ以内の距離に近接している状態の一例を示している。状態判別部１５２は、タッチパネル１４からタッチ位置情報を受信すると、操作指示体が接触状態にあると判定し、近接センサ１３から所定の距離ｄ以下の近接距離情報を受信すると、操作指示体が近接状態にあると判定する。さらに、状態判別部１５２は、操作指示体が接触状態または近接状態の何れでもない場合には、タッチパネル１４から所定の距離ｄよりも離れている離間状態にあると判定する。状態判別部１５２は、判定結果を示す信号を輝度制御部１５３に供給する。
【００２２】
状態判別部１５２により操作指示体が離間状態にあると判定された場合、照度センサ１１により検出される照度の変化は、情報端末装置１の周囲の照度の変化によりもたらされたと考えられる。そのため、輝度制御部１５３は、状態判別部１５２により操作指示体が離間状態にあると判定された場合、タッチパネル１４の輝度を変更すると判定し、タッチパネル１４の輝度を照度Ｌ２に応じた輝度に変更する。例えば、照度Ｌ１＜照度Ｌ２である場合には、タッチパネル１４の輝度を上げるように変更し、照度Ｌ１＞照度Ｌ２である場合には、タッチパネル１４の輝度を下げるように変更することにより、タッチパネル１４に表示される画面の視認性を向上させることができる。
【００２３】
状態判別部１５２が、操作指示体が接触状態または近接状態にあると判定した場合、照度センサ１１により検出される照度の変化は、操作指示体の動作によりもたらされた可能性があると考えられる。そのため、輝度制御部１５３は、操作指示体の動きの有無をさらに参照することにより、タッチパネル１４の輝度をより適切に変更することができる。
【００２４】
動作検出部１５４は、所定時間Ｔ内における操作指示体の動きの有無を判定するための手段である。ここで、所定時間Ｔは、操作指示体の動きを検出するために充分な時間であればよく、例えば、２〜３秒程度であればよい。
【００２５】
図４は、動作検出部１５４により検出される操作指示体の動きの例を示す概念図である。図４（ａ）は、操作指示体がタッチパネル１４に接触している際の動きの例を示しており、操作指示体によるタッチパネル１４に対するタッチ動作、ドラッグ動作、またはフリック動作などの例を示している。図４（ｂ）は、操作指示体がタッチパネル１４に近接している際の動きの一例を示しており、操作指示体がタッチパネル１４に対する近接状態を維持したまま移動するホバー動作の例を示している。図４（ｃ）は、操作指示体が、操作指示体がタッチパネル１４に近接している際の動きの他の一例を示しており、操作指示体とタッチパネル１４との距離が変化する動きの例を示している。
【００２６】
動作検出部１５４は、タッチパネル１４から供給されるタッチ位置情報及び近接位置情報、ならびに、近接センサ１３から供給される近接距離情報の何れかが、所定時間Ｔ内に変化している場合に、操作指示体の動きがあると判定する。
【００２７】
このとき、照度変化検出部１５１は、動作検出部１５４における動作の検出に用いた所定時間Ｔと同一の期間における、照度の変化の有無を判定する。
【００２８】
続いて、図５を参照して、状態判別部１５２が、操作指示体が接触状態または近接状態にあると判定した場合の輝度制御部１５３の動作について説明する。図５は、動作検出部１５４が検出する操作指示体の動きと、照度変化検出部１５１が検出する照度の変化とを参照することにより想定される操作指示体の位置を示す概念図である。
【００２９】
図５（ａ）に示すように、操作指示体が動いている場合、所定時間Ｔ内の照度の変化は、操作指示体の動きによってもたらされたと考えられる。そのため、動作検出部１５４が、操作指示体の動きがあると判定し、照度変化検出部１５１が、照度の変化があると判定した場合、輝度制御部１５３は、タッチパネル１４の輝度を変更しないと判定する。
【００３０】
また、図５（ｂ）に示すように、操作指示体が動いていない場合、所定時間Ｔ内の照度の変化は、周囲の照度が変化したことによりもたらされたと考えられる。そのため、動作検出部１５４が、操作指示体の動きが無いと判定し、照度変化検出部１５１が、照度の変化がある（照度Ｌ２から照度Ｌ３に変化）と判定した場合、輝度制御部１５３は、タッチパネル１４の輝度を変更すると判定し、タッチパネル１４の輝度を照度Ｌ３に応じた輝度に変更する。
【００３１】
さらに、動作検出部１５４が、操作指示体の動きが無いと判定し、照度変化検出部１５１が、照度の変化がないと判定した場合には、図５（ｃ）に示すような、操作指示体により照度センサ１１が覆われていないケースと、図５（ｄ）に示すような、操作指示体により照度センサ１１が覆われているケースとが考えられる。また、動作検出部１５４が、操作指示体の動きがあると判定し、照度変化検出部１５１が、照度の変化（照度Ｌ２から照度Ｌ３に変化）があると判定した場合には、図５（ｅ）に示すような、操作指示体により照度センサ１１が覆われていないケースと、図５（ｆ）に示すような、操作指示体により照度センサ１１が覆われているケースとが考えられる。
【００３２】
そのため、輝度制御部１５３は、後述する位置判別部１５５による判定結果をさらに参照することにより、タッチパネル１４の輝度をさらに適切に変更することができる。
【００３３】
図６は、位置判別部１５５が判定する操作指示体の位置を示す概念図である。上述したように、本実施形態において、照度センサ１１は、情報端末装置１の下辺側に配置されている。したがって、図６（ａ）に示す例では、情報端末装置１において、上下半分に分割した下辺側の領域Ｒ１と、上辺側の領域Ｒ２とが規定されており、さらに、下辺側の領域Ｒ１がセンサ側領域として規定されている。本実施形態において、領域Ｒ１と領域Ｒ２との境界線上の位置は、領域Ｒ１に含まれるものとする。なお、領域Ｒ１及び領域Ｒ２は、図６に示す例に限定されるものではく、照度センサ１１の配置位置に応じて適宜変更することが可能である。例えば、照度センサ１１が、情報端末装置１の左辺側に配置されている場合には、情報端末装置１において、左辺側の領域をセンサ側の領域として規定してもよい。
【００３４】
位置判別部１５５は、記憶部１６を参照して、操作指示体のタッチ位置情報が示すｘ座標及びｙ座標が、領域Ｒ１内の座標であるか否かを判定し、判定結果を示す信号を輝度制御部１５３に供給する。なお、位置判別部１５５は、記憶部１６にタッチ位置情報が無く、近接距離情報が格納されている場合には、近接センサ１３が配置されている位置に、操作指示体があると判定してもよい。例えば、本実施形態においては、近接センサ１３がセンサが側領域Ｒ１に配置されているので、上記の場合、位置判別部１５５は、操作指示体が領域Ｒ１内にあると判定する構成としてもよい。
【００３５】
図６（ａ）に示すように、操作指示体のタッチ位置または近接位置が領域Ｒ１内にある場合には、照度センサ１１が操作指示体により覆われていると考えられる。そのため、輝度制御部１５３は、位置判別部１５５が、操作指示体のタッチ位置または近接位置が領域Ｒ１内にあると判定した場合には、タッチパネル１４の輝度を変更しないと判定する。
【００３６】
一方、図６（ｂ）に示すように、操作指示体のタッチ位置または近接位置が、照度センサ１１が設けられていない側の領域Ｒ２である場合には、照度センサ１１が操作指示体により覆われていないと考えられる。そのため、輝度制御部１５３は、位置判別部１５５が、操作指示体のタッチ位置または近接位置が領域Ｒ１内に無いと判定した場合には、タッチパネル１４の輝度を変更すると判定し、タッチパネル１４の輝度を照度Ｌ２に応じた輝度に変更する。
【００３７】
以上をまとめると、本実施形態に係る輝度制御部１５３は、
（ｉ）状態判別部１５２が、操作指示体がタッチパネル１４に接触していない、または、タッチパネル１４から所定の距離ｄよりも離れていると判定した場合、
（ｉｉ）状態判別部１５２が、操作指示体がタッチパネル１４に接触している、または、タッチパネル１４から所定の距離ｄ以内にあると判定し、動作検出部１５４が、操作指示体の動きが無いと判定し、照度変化検出部１５１が、照度の変化があると判定した場合、および
（ｉｉｉ）状態判別部１５２が、操作指示体がタッチパネル１４に接触している、または、タッチパネル１４から所定の距離ｄ以内にあると判定し、照度変化検出部１５１がが、照度の変化が無いと判定し、位置判別部１５５が、操作指示体がセンサ側領域Ｒ１内に無いと判定した場合に、
タッチパネル１４の輝度を変更すると判定するものである。したがって、本実施形態に係る情報端末装置１によれば、ユーザにより操作が行われている場合であっても、タッチパネル１４の輝度を適切に変更することができる。
【００３８】
続いて、情報端末装置１の処理手順について、図７を参照して説明する。図７は、情報端末装置１の処理手順の一例を示すフローチャートである。
【００３９】
初めに、照度変化検出部１５１が照度Ｌ１から照度Ｌ２への変化を検出すると（Ｓ１）、状態判別部１５２は、操作指示体が、タッチパネル１４に対して接触している（接触状態にある）か否（離間状態にある）か、または、操作指示体がタッチパネル１４から所定の距離以内にある（近接状態にある）か否（離間状態にある）かを判定する（Ｓ２）。
【００４０】
状態判別部１５２が、操作指示体がタッチパネル１４に対して離間状態にあると判定した場合（Ｓ３：ＹＥＳ）、輝度制御部１５３は、タッチパネル１４の輝度を変更すると判定し、タッチパネル１４の輝度を照度Ｌ２に応じた輝度に変更する（Ｓ４）。
【００４１】
状態判別部１５２が、操作指示体がタッチパネル１４に対して接触状態または近接状態にあると判定した場合（Ｓ３：ＮＯ）、動作検出部１５４は、所定時間Ｔ内における操作指示体の動きの有無を判定する（Ｓ５）。続いて、照度変化検出部１５１は、所定時間Ｔ内における照度の変化の有無を判定する（Ｓ６）。
【００４２】
動作検出部１５４が、操作指示体の動きがあると判定し（Ｓ７：ＹＥＳ）、照度変化検出部１５１が、照度Ｌ２から照度Ｌ３への変化があると判定した場合（Ｓ８：ＹＥＳ）、輝度制御部１５３は、タッチパネル１４の輝度を変更しないと判定する（Ｓ９）。
【００４３】
また、動作検出部１５４が、操作指示体の動きが無いと判定し（Ｓ７：ＮＯ）、照度変化検出部１５１が、照度Ｌ２から照度Ｌ３への変化があると判定した場合（Ｓ１０：ＹＥＳ）、輝度制御部１５３は、タッチパネル１４の輝度を変更すると判定し、タッチパネル１４の輝度を照度Ｌ３に応じた輝度に変更する（Ｓ１１）。
【００４４】
また、動作検出部１５４が、操作指示体の動きがあると判定し（Ｓ７：ＹＥＳ）、照度変化検出部１５１が、照度の変化がないと判定した場合（Ｓ８：ＮＯ）、位置判別部１５５は、操作指示体のタッチ位置または近接位置がセンサ側領域（図６における領域Ｒ１）内であるか否かを判定する（Ｓ１２）。
【００４５】
さらに、動作検出部１５４が、操作指示体の動きが無いと判定し（Ｓ７：ＮＯ）、照度変化検出部１５１が、照度の変化が無いと判定した場合（Ｓ１０：ＮＯ）にも、位置判別部１５５は、操作指示体のタッチ位置または近接位置が領域Ｒ１内であるか否かを判定する（Ｓ１２）。
【００４６】
位置判別部１５５が、操作指示体のタッチ位置または近接位置が領域Ｒ１内であると判定した場合（Ｓ１２：ＹＥＳ）、輝度制御部１５３は、タッチパネル１４の輝度を変更しないと判定する（Ｓ９）。
【００４７】
また、位置判別部１５５が、操作指示体のタッチ位置または近接位置が領域Ｒ１内ではないと判定した場合（Ｓ１２：ＮＯ）、輝度制御部１５３は、タッチパネル１４の輝度を変更すると判定し、タッチパネル１４の輝度を照度Ｌ２に応じた輝度に変更する（Ｓ１１）。
【００４８】
以上の手順により、情報端末装置１は、照度変化検出部１５１により検出される照度の変化をトリガとして、タッチパネル１４の輝度を、操作指示体の状態に応じて適切に変更することができる。
【００４９】
〔ソフトウェアによる実現例〕
情報端末装置１の制御ブロック（制御部１５、特に、照度変化検出部１５１、状態判別部１５２、輝度制御部１５３、動作検出部１５４、及び位置判別部１５５）は、集積回路（ＩＣチップ）等に形成された論理回路（ハードウェア）によって実現してもよいし、ＣＰＵ（Central Processing Unit）を用いてソフトウェアによって実現してもよい。
【００５０】
後者の場合、情報端末装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５１】
〔まとめ〕
本発明の態様１に係る表示装置（情報端末装置１）は、操作指示体の接触による入力を受け付けるタッチパネル１４と、照度センサ１１と、上記操作指示体が上記タッチパネルに接触しているか否か、または、上記操作指示体が上記タッチパネルから所定の距離以内にあるか否かを判定する第一判定手段（状態判別部１５２）と、所定時間内における上記操作指示体の動きの有無を判定する第二判定手段（動作検出部１５４）と、上記第一判定手段および上記第二判定手段の判定結果を参照して、上記タッチパネルの輝度を変更するか否かを判定し、当該輝度を変更すると判定したときは、上記照度センサの検出した照度に応じて、当該輝度を変更する輝度変更手段（輝度制御部１５３）と、を備えている。
【００５２】
照度センサが検出する照度の変化に応じてタッチパネルの輝度を変更する技術では、タッチパネルの操作のための操作指示体（指、スタイラス等）によって照度センサが覆われることにより、当該照度センサが検出する照度が変化し、タッチパネルの輝度を不適切に変更してしまうおそれがある。
【００５３】
これに対し、上記の構成によれば、第一判定手段により、操作指示体がタッチパネルの近傍に存在するか否かを判定し、第二判定手段により、操作指示体が動いているか否かを判定することができる。タッチパネルの近傍に存在する操作指示体は、照度センサを覆っている可能性があり、動いている操作指示体は、照度センサが検出する照度の変化の原因である可能性があるため、第一および第二判定手段による判定結果は、照度センサが検出する照度の変化が操作指示体に起因する可能性を示している。ゆえに、第一および第二判定手段による判定結果を参照して、タッチパネルの輝度を変更するか否かを判定することにより、照度センサが検出する照度の変化が操作指示体に起因する場合にもタッチパネルの輝度を変更してしまうことを防ぎ、タッチパネルの輝度を適切に変更することができる。
【００５４】
本発明の態様２に係る表示装置は、上記態様１において、第二判定手段（照度変化検出部１５１、動作検出部１５４）は、上記所定時間内における上記操作指示体の動きの有無を判定すると共に、上記と同一の所定時間内における上記照度センサの検出した照度の変化の有無を判定する、ことが好ましい。
【００５５】
上記の構成によれば、第二判定手段により、所定時間内における操作指示体の動きの有無を判定すると共に、上記と同一の所定時間内における照度センサの検出した照度の変化の有無を判定することができる。このような判定結果は、照度センサが検出する照度の変化が操作指示体に起因する可能性を精度高く示している。例えば、（Ａ）同一の所定時間内において、操作指示体の動きが有り、照度の変化が有るときは、照度の変化は操作指示体に起因する可能性が高い。また、（Ｂ）同一の所定時間内において、操作指示体の動きが無く、照度の変化が有るときは、照度の変化は操作指示体に起因しない可能性が高い。一方、（Ｃ）同一の所定時間内において、操作指示体の動きが無く、照度の変化が無いとき、および、（Ｄ）同一の所定時間内において、操作指示体の動きが有り、照度の変化が無いときは、照度の変化が操作指示体に起因する可能性は（Ａ）と（Ｂ）との中間である。このような判定結果を参照して、タッチパネルの輝度を変更するか否かを判定することにより、タッチパネルの輝度をより適切に変更することができる。
【００５６】
本発明の態様３に係る表示装置は、上記態様２において、上記表示装置において上記照度センサの配置位置を含むセンサ側領域が規定されており、上記操作指示体が上記センサ側領域内にあるか否かを判定する第三判定手段（位置判別部１５５）を備え、上記輝度変更手段は、上記第三判定手段の判定結果をさらに参照して、上記輝度を変更するか否かを判定する、ことが好ましい。
【００５７】
上記の構成によれば、第三判定手段により、上記操作指示体が上記センサ側領域内にあるか否かを判定することができる。このような判定結果は、照度センサが検出する照度の変化が操作指示体に起因する可能性を示している。すなわち、操作指示体が上記センサ側領域内にあるときは、照度の変化は操作指示体に起因する可能性が高く、操作指示体が上記センサ側領域内にないときは、照度の変化が操作指示体に起因する可能性は低い。このような判定結果を参照して、タッチパネルの輝度を変更するか否かを判定することにより、タッチパネルの輝度をより適切に変更することができる。
【００５８】
本発明の態様４に係る表示装置は、上記態様３において、上記輝度変更手段は、（ｉ）上記第一判定手段が、上記操作指示体が上記タッチパネルに接触していない、または、上記タッチパネルから上記所定の距離よりも離れていると判定した場合、（ｉｉ）上記第一判定手段が、上記操作指示体が上記タッチパネルに接触している、または、上記タッチパネルから上記所定の距離以内にあると判定し、上記第二判定手段が、上記操作指示体の動きが無く、上記照度の変化があると判定した場合、および（ｉｉｉ）上記第一判定手段が、上記操作指示体が上記タッチパネルに接触している、または、上記タッチパネルから上記所定の距離以内にあると判定し、上記第二判定手段が、上記照度の変化が無いと判定し、上記第三判定手段が上記センサ側領域内に無いと判定した場合に、上記輝度を変更すると判定する、ことが好ましい。
【００５９】
上記の構成によれば、上記（ｉ）〜（ｉｉｉ）の場合に、上記輝度を変更すると判定することにより、タッチパネルの輝度をより適切に変更することができる。
【００６０】
本発明の態様５に係る表示装置は、上記態様３または４において、近接センサ１３をさらに備え、上記第一判定手段は、上記タッチパネルおよび上記近接センサの少なくとも一方の検出結果を参照して、上記操作指示体が上記タッチパネルに接触しているか否か、または、上記操作指示体が上記タッチパネルから所定の距離以内にあるか否かを判定し、上記第二判定手段は、上記タッチパネルおよび上記近接センサの少なくとも一方の検出結果ならびに上記照度センサの検出結果を参照して、上記所定時間内における上記操作指示体の動きの有無を判定すると共に、当該所定時間内における上記照度センサの検出した照度の変化の有無を判定し、上記第三判定手段は、上記タッチパネルおよび上記近接センサの少なくとも一方の検出結果を参照して、上記操作指示体が上記センサ側領域内にあるか否かを判定するものであってもよい。
【００６１】
上記の構成によれば、近接センサを用いて、適切に操作指示体の状態を判定し、タッチパネルの輝度をより適切に変更することができる。
【００６２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６３】
本発明は、タッチパネルを備えた表示装置に利用することができる。
【符号の説明】
【００６４】
１        情報端末装置（表示装置）
１１      照度センサ
１３      近接センサ
１４      タッチパネル
１５      制御部
１５１    照度変化検出部（第二判定手段）
１５２    状態判別部（第一判定手段）
１５３    輝度制御部（輝度変更手段）
１５４    動作検出部（第二判定手段）
１５５    位置判別部（第三判定手段）
【図１】
2016038738.tif 000003
【図２】
2016038738.tif 000004
【図３】
2016038738.tif 000005
【図４】
2016038738.tif 000006
【図５】
2016038738.tif 000007
【図６】
2016038738.tif 000008
【図７】
2016038738.tif 000009